(57)【要約】【課題】電気的駆動弁を有する手洗い器を設置するに当たり、部品点数を減らしてコストダウンをすることができるトイレ用手洗い器システムを提供する。【解決手段】トイレ用手洗い器システムは、便器１と、手洗い器６とを備える。便器１は、便器本体２に内蔵された電源部５と、電源部５から電力の供給を受けて動作する電気機器３とを有する。手洗い器６は、給水路６９に接続された水栓６２と、給水路６９に設けられて止水と通水とを切替可能な電気的駆動弁６３とを有する。電気的駆動弁６３は、便器本体２に内蔵された電源部５から電力の供給を受けて動作するように構成されている。【選択図】図１
2018084069.tif 000002
【特許請求の範囲】
【請求項１】
便器本体に内蔵された電源部および前記電源部から電力の供給を受けて動作する電気機器を有する便器と、
給水路に接続された水栓、および前記給水路に設けられて止水と通水とを切替可能な電気的駆動弁を有する手洗い器と
を備え、
前記電気的駆動弁は、前記便器本体に内蔵された前記電源部から電力の供給を受けて動作するように構成されている
ことを特徴とするトイレ用手洗い器システム。
【請求項２】
前記手洗い器は、前記電気的駆動弁を制御する弁制御装置を有しており、
前記弁制御装置は、前記便器の前記電源部から電力の供給を受けるように構成されている
ことを特徴とする請求項１記載のトイレ用手洗い器システム。
【請求項３】
前記便器は前記電気機器を制御する制御部を備え、
前記制御部は、前記電気的駆動弁を制御する手洗器用制御部を有している
ことを特徴とする請求項１記載のトイレ用手洗い器システム。
【発明の詳細な説明】
【技術分野】
【０００１】
本発明は、トイレ用手洗い器システムに関する。
【背景技術】
【０００２】
特許文献１には、従来の手洗い器が開示されている。この特許文献１記載の手洗い器は、トイレルームに設置される手洗い器であり、便器の傍に配置されている。この手洗い器は、電源と、電源から電力の供給を受けて動作する電磁弁とを備えている。電磁弁は、給水源から吐水口につながる流路に設けられており、電磁弁の開閉駆動により、吐水口からの吐水と止水とを切り替えることができる。
【先行技術文献】
【特許文献】
【０００３】
【特許文献１】特開平６−４９８８５号公報
【発明の概要】
【発明が解決しようとする課題】
【０００４】
ところで、この種の手洗い器は、電磁弁等の電気的な機器を備えているため、給電用の電子部品等、部品点数が多い上にコストの高い部品が多数存在する。このため、販売にあたり、吐水・止水の切り替えを手動で操作する水栓を有する手洗い器と比較して、大きな価格差が生じてしまう。
【０００５】
本発明は、上記事情に鑑みてなされたものであり、その目的とするところは、電気的駆動弁を有する手洗い器を設置するに当たり、部品点数を減らしてコストダウンをすることができるトイレ用手洗い器システムを提供することにある。
【課題を解決するための手段】
【０００６】
本発明のトイレ用手洗い器システムは、便器本体に内蔵された電源部および前記電源部から電力の供給を受けて動作する電気機器を有する便器と、給水路に接続された水栓、および前記給水路に設けられて止水と通水とを切替可能な電気的駆動弁を有する手洗い器とを備え、前記電気的駆動弁は、前記便器本体に内蔵された前記電源部から電力の供給を受けて動作するように構成されていることを特徴とする。
【発明の効果】
【０００７】
本発明のトイレ用手洗い器システムによれば、電気的駆動弁を有する手洗い器を設置するに当たり、部品点数を減らしてコストダウンをすることができる。
【図面の簡単な説明】
【０００８】
【図１】本発明の一実施形態に係るトイレ用手洗い器システムを適用したトイレルームの斜視図である。
【図２】同上の便器の鉛直面の断面図である。
【図３】同上のトイレ用手洗い器システムの電力系統のブロック図である。
【図４】変形例に係るトイレ用手洗い器システムの電力系統のブロック図である。
【発明を実施するための形態】
【０００９】
以下、本発明の実施形態について添付図面に基づいて説明する。
【００１０】
本実施形態のトイレ用手洗い器システムは、トイレルーム内において、電気的駆動弁６３を有する手洗い器６と便器１との電源の共通化を図るシステムであり、これにより、コストダウンをすることができる。トイレ用手洗い器システムは、便器１と、手洗い器６とを備えている。
【００１１】
便器１は、トイレルームに設置されている。より具体的には、便器１は、トイレルームの後方側の壁８に近接して配置される。便器１は、図２に示すように、便器本体２と、電源部５と、電気機器３と、制御部４（図３）とを備えている。
【００１２】
便器本体２は、便器１の外郭を形成する部分である。便器本体２は、ユーザーの汚物を受けるボウル２１と、排水トラップ２３と、これらを内部に収容する外郭体２４とを備えている。
【００１３】
ボウル２１は、椀状に形成されており、ユーザーが排出する汚物を受けることができるように構成されている。ボウル２１の内面は、下方ほど小径となるように水平面に対して傾斜している。ボウル２１の下端部には、筒状排水部２２が形成されている。筒状排水部２２には開口部２２１が形成されており、この開口部２２１はボウル２１の内部に通じている。筒状排水部２２には、排水トラップ２３が接続されている。
【００１４】
排水トラップ２３は、ボウル２１内において封水を形成することができるように構成されており、封水を形成することで、汚臭や害虫が排水管から室内側に侵入するのを防ぐことができる。本実施形態の排水トラップ２３は、可とう性を有するトラップ筒２３１と、トラップ筒２３１の先端部を上方と下方との間で移動させる駆動装置２３２と、トラップ筒２３１を内部に収容するケース部２３３とを備えている。トラップ筒２３１の先端部が上方に向く状態でボウル２１内に給水されると封水が形成され、この状態からトラップ筒２３１の先端部を下方に向く状態に切り替えると、ボウル２１内に貯留された水を排水管８１に排水することができる。
【００１５】
駆動装置２３２は、駆動源としてのモータを有する。駆動装置２３２は、便器本体２に内蔵された電源部５から電力の供給を受けて駆動する。また、駆動装置２３２は、制御部４により制御される。
【００１６】
外郭体２４は、便器本体２の外郭を形成する。外郭体２４は、ボウル２１を支持するスカート部２５と、便器本体２の後部を形成する後カバー部２６と、便器本体２の後部上面を形成する機器収容部２７とを備えている。機器収容部２７には、電気機器３としての局部洗浄装置３０と、制御部４と、電源部５とが収容されている。
【００１７】
局部洗浄装置３０は、便座に着座した状態のユーザーの局部を洗浄する。局部洗浄装置３０は、洗浄水を吐出する洗浄ノズル３１と、洗浄ノズル３１を駆動するノズル駆動部３２とを備えている。洗浄ノズル３１には、給水源に接続されたノズル給水路３３が接続されている。ノズル給水路３３には、給水弁３４が設けられている。給水弁３４は、洗浄水の止水・吐水を切り替える電磁弁と、流量調整を行う流量調整弁とを含む。これら電磁弁および流量調整弁は、制御部４により制御される。
【００１８】
ここで、本実施形態において便器１における給水源は、トイレルームの壁８に取り付けられた止水栓９により構成される。止水栓９は、図示しない水道管に接続されている。
【００１９】
ノズル駆動部３２は、洗浄ノズル３１を駆動し、洗浄ノズル３１をボウル２１上に位置する状態（突出状態）と、ボウル２１上から退避した状態（非突出状態）とのいずれかに切り替えることができる。ノズル駆動部３２は、例えば、駆動源としてのモータと、モータにより回転するピニオン３２１とを備えている。ピニオン３２１は、洗浄ノズル３１に形成されたラック部３１１に噛み合っており、ピニオン３２１が回転することで洗浄ノズル３１を移動させることができる。
【００２０】
制御部４は、局部洗浄装置３０を制御する。具体的に、制御部４は、局部洗浄装置３０の給水弁３４と、ノズル駆動部３２とを制御する。また、制御部４は、ボウル２１内への給水と止水との切り換えを行う本体給水弁９１（図３）を制御することができる。制御部４は、例えば、制御基板に実装されたマイクロプロセッサを主構成要素として構成されている。
【００２１】
電源部５は、便器１の電源としての機能と、手洗い器６の電源としての機能とを併せ持つ。電源部５は、図３に示すように、便器１においては、局部洗浄装置３０（ノズル駆動部３２、給水弁３４），制御部４，排水トラップ２３の駆動装置２３２および本体給水弁９１等に電力を供給する。また、電源部５は、手洗い器６に対しては、水栓６２の止水と吐水とを切り替える電気的駆動弁６３と、電気的駆動弁６３を制御する弁制御装置６４とに電力を供給することができる。
【００２２】
電源部５は、図１に示すように、便器本体２の機器収容部２７内に配置されている。電源部５は、商用電源から電気機器３等を駆動するための駆動電力を生成するための部分であり、本実施形態の電源部５は整流回路を含む。整流回路は、例えば、ダイオードブリッジ等で構成されており、商用電源を整流して直流電力を生成することができる。電源部５には、トイレルームの壁面に設置されたコンセントに接続可能なプラグが、電源コードを介して接続されている。電源部５は、例えば、直流電源用のバッテリーにより構成されてもよい。
【００２３】
手洗い器６は、便器１の側方の壁８２に設置されており、便器１とは互いに離れて設置されている。手洗い器６は、手洗いボウル６１と、水栓６２と、電気的駆動弁６３と、弁制御装置６４と、カバー部６５とを備えている。
【００２４】
手洗いボウル６１は、水栓６２から吐出された水を受けることができるように構成されている。手洗いボウル６１は、底部に排水路６６が接続されている。排水路６６は、便器１の排水トラップ２３のケース部２３３に接続されている。これにより、手洗いボウル６１に受けられた水は、排水路６６を介して、便器１の排水トラップ２３内に排出される。本実施形態の排水路６６の上流側の端部は、略Ｕ字状に湾曲しており、トラップ部６７を形成する。なお、本実施形態の排水路６６は、配管の内部により構成されている。
【００２５】
トラップ部６７は、手洗いボウル６１の下方に配置されている。トラップ部６７には、一定量の排水（封水）が形成されるように構成されており、この封水により、汚臭や害虫が排水管から水栓６２の吐出口６２１を介して室内に侵入するのを防ぐことができる。
【００２６】
水栓６２は、手洗いボウル６１の上方に配置されている。水栓６２は、水を吐出する吐出口６２１を有している。吐出口６２１は、便器１の止水栓９から分岐された手洗い側給水路６９に接続されている。手洗い側給水路６９には電気的駆動弁６３が設けられている。
【００２７】
電気的駆動弁６３は、電気を駆動源とし、手洗い側給水路６９を流通する水の止水と通水とを切り替えることができる弁である。電気的駆動弁６３は、手洗い側給水路６９の止水と通水とを切り替えることで、水栓６２の吐出口６２１からの吐水と止水とを切り替えることができる。電気的駆動弁６３は、電磁弁または電動弁により構成されており、便器１の電源部５に対し、ハーネス６８を介して電気的に接続されている。つまり、電気的駆動弁６３は、電源部５から電力の供給を受けるように構成されている。
【００２８】
弁制御装置６４は、電気的駆動弁６３を制御する。弁制御装置６４は、少なくとも、電気的駆動弁６３の止水と通水との切替制御を実行する。なお、弁制御装置６４は、電気的駆動弁６３が電動弁である場合には、止水と通水との切替制御に加えて、流量を調整可能な流量制御を実行してもよい。弁制御装置６４は、便器１の電源部５に対し、ハーネス６８を介して電気的に接続されている。つまり、弁制御装置６４は、電気的駆動弁６３と同様、電源部５から電力の供給を受けるように構成されている。弁制御装置６４は、例えば、制御基板に実装されたマイクロプロセッサを主構成要素として構成されている。
【００２９】
カバー部６５は、手洗いボウル６１の下方に配置されており、排水路６６のトラップ部６７を覆う。カバー部６５が設けられていることで、室内の外観が損なわれるのを防ぐことができる。
【００３０】
本実施形態のトイレ用手洗い器システムは、手洗い側給水路６９を構成する配管と排水路６６を構成する配管とを覆うカバー体７を有している。このカバー体７は、配管だけでなく、電気的駆動弁６３および弁制御装置６４と電源部５とを接続するハーネス６８も内部に収容することができる。カバー体７はカウンター７１の下方に配置されている。カウンター７１は、側方の壁８２に取り付けられている。カウンター７１の上面は水平面であり、載置物を載置することができるように構成されている。
【００３１】
〔効果〕
以上説明したように、本実施形態のトイレ用手洗い器システムは、便器１と、手洗い器６とを備える。便器１は、便器本体２に内蔵された電源部５と、電源部５から電力の供給を受けて動作する電気機器３とを有する。手洗い器６は、給水路（手洗い側給水路６９）に接続された水栓６２と、給水路（手洗い側給水路６９）に設けられて止水と通水とを切替可能な電気的駆動弁６３とを有する。電気的駆動弁６３は、便器本体２に内蔵された電源部５から電力の供給を受けて動作するように構成されている。
【００３２】
この構成によれば、手洗い器６の電気的駆動弁６３に必要な電源部５を、便器１の電源部５と共通化することができ、従来では手洗い器６と便器１とのそれぞれに必要であった電源部５の数量を減らすことができる。この結果、部品点数を減らすことができ、コストダウンをすることができる。
【００３３】
しかも、便器本体２に内蔵された電源部５を利用して、手洗い器６に電力を供給することができるため、既設の便器１に対して、追加的に手洗い器６を設置することも可能である。
【００３４】
その上、従来の手洗い器６では、商用電源の電力を得るために、トイレルームに新たに電源用のコンセントを設置する必要があり、手洗い器６の設置に当たって別途電気工事が必要であった。しかし、本実施形態のトイレ用手洗い器システムによれば、この作業工数も削減できる。この結果、電気工事者による工事がなくても、便器１および手洗い器６の設置が可能となる。
【００３５】
また、本実施形態のトイレ用手洗い器システムは、次の付加的な構成を備える。すなわち、本実施形態のトイレ用手洗い器システムにおいて、手洗い器６は、電気的駆動弁６３を制御する弁制御装置６４を有している。弁制御装置６４は、便器１の電源部５から電力の供給を受けるように構成されている。
【００３６】
この構成によれば、便器１に設置された制御部４と、手洗い器６に設置された弁制御装置６４とのいずれか一方が故障しても、他方に影響を与えないようにできる。
【００３７】
〔変形例〕
上記実施形態において、手洗い器６は、電気的駆動弁６３を制御する弁制御装置６４を備えていたが、図４に示すような態様であってもよい。
【００３８】
変形例のトイレ用手洗い器システムは、便器１の制御部４が、便器用制御部４１と、手洗器用制御部４２とを備えている。便器用制御部４１は、実施形態１の制御部４と同じ機能であるため、説明を省略する。
【００３９】
手洗器用制御部４２は、手洗い器６の電気的駆動弁６３に電気的に接続されており、手洗い器６の電気的駆動弁６３を制御する。なお、本変形例の手洗い器６は、上記実施形態における弁制御装置６４を有していない。
【００４０】
以上説明したように、本変形例のトイレ用手洗い器システムにおいて、便器１は電気機器３を制御する制御部４を備える。制御部４は、手洗い器６の電気的駆動弁６３を制御する手洗器用制御部４２を有している。
【００４１】
この構成によれば、電気機器３を制御する制御部４に、電気的駆動弁６３を制御する手洗器用制御部４２を含めることができるため、制御部４を構成する部品の共通化を図ることができ、部品点数を削減することができる。また、手洗い器６の部品点数を削減することができるため、手洗い器６の小型化を図ることも可能である。
【００４２】
〔応用〕
上記実施形態の電気機器３は、局部洗浄装置３０であったが、例えば、暖房便座装置または温水装置等であってもよく、電気機器３は、電力の供給を受けて動作する機器であればよい。
【００４３】
上記実施形態の電源部５は、ハーネス６８を介して、電気機器３および手洗い器の電気的駆動弁６３に送電したが、送電手段はハーネス６８でなくてもよく、特に限定されない。
【００４４】
上記実施形態の便器１は、床面に設置される態様の便器であったが、壁に設置する態様の便器１（いわゆる、フロート便器）に適用してもよい。
【００４５】
その他、上記実施形態の構成は、本発明の主旨を逸脱しない範囲であれば、適宜設計変更を行うことができる。
【符号の説明】
【００４６】
１      便器
２      便器本体
３      電気機器
４      制御部
４２    手洗器用制御部
５      電源部
６      手洗い器
６２    水栓
６３    電気的駆動弁
６４    弁制御装置
６９    手洗い側給水路（給水路）
【図１】
2018084069.tif 000003
【図２】
2018084069.tif 000004
【図３】
2018084069.tif 000005
【図４】
2018084069.tif 000006